(57)【要約】【課題】  撮像部を備えた携帯端末装置において、複数人を離れた位置から撮影する場合に、撮像方向に関係なく、リモコン操作が常に良好に行え、良好でかつ画像と整合が取れた音が捕捉可能な携帯端末装置を提供すること。【解決手段】  装置本体に、撮像装置８０及び光受光部３０を備える撮像部８４を回転可能に備え、前記撮像部８４は、少なくとも前記撮像装置８０の撮像窓８５及び前記光受光部３０の受光窓３２がそれぞれ前記装置本体により隠される第１のポジションと、前記撮像窓８５及び前記受光窓３２を外部に露出させる第２のポジションとを備えることを特徴とする。【選択図】    図１
2005295195.tif 000002
【特許請求の範囲】
【請求項１】
装置本体に、撮像装置及び光受光部を備える撮像部を回転可能に備え、前記撮像部は、少なくとも前記撮像装置の撮像窓及び前記光受光部の受光窓がそれぞれ前記装置本体により隠される第１のポジションと、前記撮像窓及び前記受光窓を外部に露出させる第２のポジションとを備えることを特徴とする携帯端末装置。
【請求項２】
前記受光窓に光を照射することにより前記撮像装置による画像の取り込みを実行させるようにしてあることを特徴とする請求項１記載の携帯端末装置。
【請求項３】
前記装置本体には、音を捕捉する音捕捉部と、前記撮像装置の撮像方向に応じて、前記音捕捉部が捕捉した音の利得を調整する利得変更手段を備えることを特徴とする請求項１又は請求項２に記載の携帯端末装置。
【請求項４】
前記撮像装置が撮像倍率を変化させるズーム機能を有すると共に、
前記利得変更手段は、前記撮像装置のズーム機能による撮像倍率に応じて、前記捕捉した音の利得を調整可能であることを特徴とする請求項３記載の携帯端末装置。
【請求項５】
前記利得変更手段の利得変更機能を維持、停止の切換を行う切換手段を備えることを特徴とする請求項３又は４記載の携帯端末装置。
【請求項６】
前記切換手段が、前記維持側へ切換えられている状態において、更に前記利得変更手段の利得変更機能を一時的に中断させる割込み手段を備えることを特徴とする請求項５記載の携帯端末装置。
【発明の詳細な説明】
【技術分野】
【０００１】
この発明は、撮像部を備えた携帯電話機、ノートパソコン、PDA等の携帯端末装置に関する。
【背景技術】
【０００２】
周知のように、近年、携帯電話機をはじめとする携帯端末装置において、カメラを備えたものが普及し、さらにカメラの向きを変えることにより撮影者自身に限らず撮影者以外の被写体を容易に撮影できるものが普及し始めている（例えば、特許文献１参照。）。
しかしながら、撮影者が自分自身を撮影する自分取り撮影において、複数の人達と携帯端末装置から離れた位置で撮影を行いたい場合、自分自身でシャッターボタンが押せないため、第３者に撮影を依頼するか、セルフタイマー機能を使わざるを得ないといった不都合があった。
また、携帯電話機は通話者がマイクロフォンに向って発声し、相手からの送話音を耳元にあるスピーカーで聴くという使用方法が一般的であるが、近年携帯電話機での撮影や送受信の対象は、静止画像に限られず動画像及びその周囲音を含めた動画撮影にまで広がりつつある。
【特許文献１】特開２００３−５０１７号公報（第２〜３頁、図１）
【発明の開示】
【発明が解決しようとする課題】
【０００３】
ところで、カメラ撮影をリモコン操作により行うことも提案されているが、通常、赤外線の受光面が常に外部に露出しており、受光面が傷付いた場合、リモコン操作ができなくなるという不都合や、携帯端末装置における赤外線受光面の位置によっては、撮影者自身が操作したリモコンの操作信号がうまく受光できないという問題があった。
また、複数の人達と携帯端末から離れた位置で、リモコン操作により動画撮影を行うような場合に、音を電気信号に変換する音捕捉部が被写体と反対側の方向にあると、音声等が、捕捉し難くなるという問題があった。
【０００４】
また、撮像装置がズーム機能を備えている場合にズーム機能の倍率を高くして被写体を撮像するような場合にあっては、被写体が拡大されて撮影される一方、拡大された被写体の音を十分に収音することができず、動画情報としての役割が十分果たせないという問題があった。
この発明は、このような事情を考慮してなされたもので、撮像部を備えた携帯端末装置において、複数人を離れた位置から撮影する場合に、撮像方向に関係なく、リモコン操作が常に良好に行え、良好でかつ画像と整合が取れた音が捕捉可能な携帯端末装置を提供することにある。
【課題を解決するための手段】
【０００５】
上記目的を達成するために、この発明は以下の手段を提案している。
請求項１に係る発明は、携帯端末装置において、装置本体に、撮像装置及び光受光部を備える撮像部を回転可能に備え、前記撮像部は、少なくとも前記撮像装置の撮像窓及び前記光受光部の受光窓がそれぞれ前記装置本体により隠される第１のポジションと、前記撮像窓及び前記受光窓を外部に露出させる第２のポジションとを備えることを特徴とする。
【０００６】
請求項２に係る発明は、請求項１記載の携帯端末装置において、前記受光窓に光を照射することにより前記撮像装置による画像の取り込みを実行させるようにしてあることを特徴とする
【０００７】
請求項３に係る発明は、請求項１又は請求項２記載の携帯端末装置において、前記装置本体には、音を捕捉する音捕捉部と、前記撮像装置の撮像方向に応じて、前記音捕捉部が捕捉した音の利得を調整する利得変更手段を備えることを特徴とする。
【０００８】
請求項４に係る発明は、請求項３記載の携帯端末装置において、前記撮像装置が撮像倍率を変化させるズーム機能を有すると共に、前記利得変更手段は、前記撮像装置のズーム機能による撮像倍率に応じて、前記捕捉した音の利得を調整可能であることを特徴とする。
【０００９】
請求項５に係る発明は、請求項３又は４記載の携帯端末装置において、前記利得変更手段の利得変更機能を維持、停止の切換を行う切換手段を備えることを特徴とする。
【００１０】
請求項６に係る発明は、請求項５記載の携帯端末装置において、前記切換手段が、前記維持側へ切換えられている状態において、更に前記利得変更手段の利得変更機能を一時的に中断させる割込み手段を備えることを特徴とする。
【発明の効果】
【００１１】
この発明によれば、撮像部を備えた携帯端末装置において、複数人を離れた位置から撮影する場合に、撮像方向に関係なく、リモコン操作が常に良好に行うことができ、撮像部により撮影を行わないときには撮像窓及び光受光部の受光面を外部に露出しないようにすることができるため傷付きやゴミの付着を効果的に防止できる。
【発明を実施するための最良の形態】
【００１２】
以下、図面を参照し、この発明の実施の形態について説明する。ここで説明する実施形態は、この発明に係る携帯端末装置を、撮像装置を備えた折畳式の携帯電話機に適用した場合の例である。
図１（ａ）、（ｂ）は、この発明の一実施形態を示す図であり、携帯電話機１は、一方の筐体２と他方の筐体４がヒンジ部８を中心として折畳み自在に連結されたものである。
筐体２は、折畳時に筐体４と対向する内面２aに表示部７を備えると共に撮像装置８０を備えており、撮像装置８０は撮像部８４及び赤外線受光部（光受光部）３０とを備えている。
撮像部８４は、ヒンジ部８の回転軸と平行な軸を中心に筐体内で回動し筐体２の内面側２ａと外面側２ｂに画像導入部８５Ａを向けることができるようになっている。
筐体４は、折畳時に筐体２と対向する内面４aに操作キー６と音捕捉部を構成するマイクロフォン６０とを備えている。
【００１３】
図２は、この携帯電話機１の撮像装置の概略構成を示す図である。
撮像装置８０は、筐体２内にて回転自在に支持された筒状体８６と、この筒状体８６の内部に配置されたＣＣＤやＣＭＯＳの撮像素子（不図示）、及び筒状体８６の外周面に設けられた画像導入部８５Ａとからなる撮像部８４と、筒状体８６の内部に配置されたセンサ及び筒状体８６の外周面に設けられた赤外線受光面（光受光面）３２とからなる赤外線受光部（光受光部）３０とを有している。なお、図中、８５は、画像導入部８５Ａに設けられ、被写体の像を導入するためのレンズ（撮像窓）である。
そして、撮像装置８０は、筒状体８６を回動することによって、撮像部８４のレンズが筐体２内に隠される第１のポジションと、レンズ８５を外部に露出させる第２のポジションとを取り得るようになっている。
第２のポジションは、撮像部８４のレンズ８５がマイクロフォン６０側（以下、自身側という）を向いた撮像方向Ｐ１（第２のポジション）と、撮像部８４のレンズ８５が自身側と反対側（以下、相手側という）を向いた撮影方向Ｐ２（第２のポジション）とから構成されている。
また、筒状体８６の軸８６aには、軸８６aの外周面より突出する撮像方向検出レバー１３を備えると共に、筒状体８６を回動することによって、撮像方向Ｐ１にて前記撮像方向検出レバー１３により押圧されて撮像方向Ｐ１を検出する第１のの検出スイッチ１０と、撮像方向Ｐ２にて前記撮像方向検出レバー１３により押圧されて撮像方向Ｐ２を検出する第２の検出スイッチ１２とを有し、第１のポジションより撮像部８４のレンズ８５を自身側の撮像方向Ｐ１と、相手側の撮像方向Ｐ２に自在に切換えることができるようになっている。
さらに、赤外線受光部（光受光部）３０の赤外線受光窓（光受光窓）３２は、撮像部８４の隣に、撮像部８４のレンズ８５と同方向を向くように配置され、筒状体８６を回動することによって、第１のポジションより赤外線受光窓３２を自身側の撮像方向Ｐ１と、相手側の撮像方向Ｐ２に自在に切換えることができるようになっている。
【００１４】
第１の検出スイッチ１０と第２の検出スイッチ１２は、定位置に保持された撮像部８４の撮像方向Ｐ１、Ｐ２を検出するためのスイッチであり、撮像部８４の筒状体８６を回動させたときに軸８６aに備える撮像方向検出レバー１３が接触することによりそれぞれの撮像方向検出スイッチ１０、１２はオン、オフされるようになっている。
図１における（ａ）は、撮像部８４を自身側の撮像方向Ｐ１に向けた状態（筐体２の内面２ａ側）、（ｂ）は、一方の筐体２を他方の筐体４に対して開き、撮像部８４を相手側の撮像方向Ｐ２（筐体２の外面２ｂ側）に向けた状態を示している。
【００１５】
図３は、この携帯電話機１で捕捉した音の利得レベルを調整する制御部１００の電気回路のブロック図を示すものである。
制御部１００は、赤外線受光部３０、制御部本体４０、第１の検出スイッチ１０、第２の検出スイッチ１２、ズーム倍率コントロールスイッチ（ズーム機能）１４、利得調整切換スイッチ（切換手段）１６、利得調整割込スイッチ（割込み手段）１８および利得調整スイッチ２０を備えている。
【００１６】
赤外線受光部３０は、赤外線受光窓３２と、図示しない赤外線センサとから構成され、赤外線リモートコントローラ３４の赤外線発光部３６から発光された赤外線ＩＲを受光して、赤外線リモートコントローラ３４からの制御信号が制御部本体４０に出力されるようになっている。
制御部本体４０には、第１の検出スイッチ１０、第２の検出スイッチ１２、ズーム倍率コントロールスイッチ１４、利得調整切換スイッチ１６、利得調整割込スイッチ１８および利得調整スイッチ２０から制御信号が入力されるようになっている。
また、制御部本体４０には、マイクロフォン６０が捕捉した音信号増幅部７０で増幅された音信号と、撮像部８４が撮像し撮像信号処理部９０で処理された画像信号とが入力されるようになっている。
【００１７】
また、アンテナ５５を通じて送受信される送受信信号は、送受信部５０を介して制御部本体４０に入出力されるようになっている。
第１の検出スイッチ１０と第２の検出スイッチ１２は、前述のように撮像部８４が自身側の撮像方向Ｐ１，相手側の撮像方向Ｐ２のいずれの撮像方向にあるかを検出するようになっている。
【００１８】
また、ズーム倍率コントロールスイッチ１４は、ズーム倍率を変化させるために使用され、倍率コントロール信号が制御部本体４０に入力されたのち、撮像信号処理部９０に入力され、撮像部８４から撮像信号処理部９０に入力された撮像信号に基づいて、画像を拡大又は縮小するようになっている。
利得調整切換スイッチ１６は、撮像部８４を相手側の撮像方向Ｐ２で撮像する場合に、利得レベルを相手側と自身側のいずれに適した利得レベルに合わせるかを切換えるようになっている。
【００１９】
利得調整割込スイッチ１８は、音信号増幅部７０で増幅される利得レベルが相手側に適した利得レベルで使用されている場合に、自身側に適した利得レベルに一時的に割込むことができるようになっており、また、その逆の割込みを可能にしている。
また、利得調整スイッチ２０は、音信号増幅部７０の利得レベルを調整するのに使用され、利得調整信号は制御部本体４０を介して音信号増幅部７０に入力され、音信号増幅部７０はマイクロフォン６０から入力された音信号の利得レベルを調整するようになっている。
また、撮像信号処理部９０で処理された撮像信号や音信号増幅部７０で増幅された音信号は、必要に応じて制御部本体４０から送受信部５０を介してアンテナ５５から送信するようになっている。
【００２０】
次に、この携帯電話機１の使用方法について説明する。この携帯電話機１は通常の携帯電話機として使用することができ、このとき、撮像部８４のレンズ８５及び赤外線受光部３０の赤外線受光窓３２が筐体２内を向く第１のポジションに撮像装置８０を配置することで、レンズ８５や赤外線受光窓３２を傷付けたり、ゴミ等が付着することを効果的に防止できる。また、撮像装置８０を使った撮像を行う場合には次のように使用する。
まず、撮像装置８０を第１のポジションより相手側の撮像方向Ｐ２に回動させて、景色等の撮像を行うには、図１（ａ）、（ｂ）に示すように第１の筐体２を第２の筐体４に対して開き、携帯電話機１の操作キー６を操作して撮像モードに切換える。この場合、撮像部８４を回転させて撮像部８４の画像導入部８５Ａを筐体２の外面側２ｂに向かせておく。
【００２１】
この状態において、レンズ８５は筐体２の外面側２ｂに向いている。撮像部８４のレンズ８５が撮像方向Ｐ２を向いた状態で操作キー６を操作して撮影操作を行うと、目的とする景色が撮像部８４から導入されて撮像信号処理部９０に入力され必要に応じて記録される。
また、操作者を含めた複数人が、自分たち自身を、相手側の撮像方向Ｐ２に撮像部８４を向けて動画撮影を行う場合、赤外線リモートコントローラ３４を操作して、赤外線発光部３６から制御信号となる赤外線ＩＲを発光させ、赤外線受光窓３２で受光された赤外線ＩＲが、赤外線受光部３０を介して、制御部本体４０に入力され、動画撮影が開始される。  また、会話等がマイクロフォン６０によって捕捉され音信号増幅部７０によって増幅され制御部本体４０に供給される。
【００２２】
そして撮影された画像または画像と音声を送信するように設定しておけば、制御部４０はかかる画像データおよび音声データが送受信部５０を介してアンテナ５５から送信することができる。
また、撮像部８４のレンズ８５を自身側の撮像方向Ｐ１に向けて操作者自身を撮影する場合には、図１（ａ）、（ｂ）に示すように第１の筐体２を第２の筐体４に対して開き、図２に示す撮像部８４の画像導入部８５Ａを自身側Ｐ１に向け撮像を行う。
【００２３】
この場合、前述の説明と同様にして、自身の画像が撮像信号処理部９０において処理されるとともに、音信号増幅部７０によってマイクロフォン６０が捕捉した音が増幅され制御部本体４０に入力される。
そして撮影された画像または画像と音声を送信するように設定しておけば、制御部本体４０は、かかる画像データおよび音声データが送受信部５０を介してアンテナ５５から送信することができるようになっている。
【００２４】
この携帯電話機１では上記のように動画撮影を行う場合、音の利得を調整することができ、撮像部８４が自身側の撮像方向Ｐ１にある場合には操作者がマイクロフォン６０の近傍において音声等を発した場合にも適切な利得レベルをもって制御部１００に供給される。
景色等遠方にある被写体を撮影する場合には、ズーム倍率コントロールスイッチ１４で変化させたズーム倍率に合わせて、撮像した被写体の画像を撮像信号処理部９０で拡大又は縮小することができるとともに、マイクロフォン６０で捕捉した音信号の利得レベルをズーム倍率の変化に対応して音信号増幅部７０で調整することができる。
【００２５】
また、撮像部８４を相手側の撮像方向Ｐ２で使用する場合に、利得調整切換スイッチ１６を操作することにより、相手側の撮像方向Ｐ２に適した高い利得レベルにするか自身側の撮像方向Ｐ１と同じ低い利得レベルで使用するかを切換えられる。
さらに、利得調整切換スイッチ１６をオンにして相手側の撮像方向Ｐ２に適した高い利得レベルで使用している場合に、利得調整割込スイッチ１８をオンにすることにより、利得レベルが相手側の撮像方向Ｐ２に合わせた状態で使用される場合に割込んで、一時的に自身側の撮像方向Ｐ１の利得レベルに切換えられる。
また、利得調整スイッチ２０は、マイクロフォン６０から音信号増幅部７０に入力された音信号の利得レベルを調整する。
【００２６】
この携帯電話機１において、利得調整切換スイッチ１６をオンにして撮像モードを作動させた場合の利得調整の動作を図４のフローチャートを参照して説明する。
第１の検出スイッチ１０がオン（撮像部８４が自身側の撮像方向Ｐ１）の状態では、音信号の利得レベルは利得調整割込スイッチ１８がオフの場合にＧ１となり、利得調整割込スイッチ１８がオンの場合にはＧ２となる（表１参照。）。
次いで、撮像部８４が回動されて自身側の撮像方向を検出する第１の検出スイッチ１０がオフになり、相手側の撮像方向Ｐ２となると第２の検出スイッチ１２がオンになる。
【００２７】
そして、第２の検出スイッチ１２がオンになり相手側の撮像方向Ｐ２になった場合、一方、ズーム機能が使用されていない状態かつ利得調整割込スイッチ１８がオフであるときには利得レベルがＧ３となり、ズーム倍率コントロールスイッチ１４を用いてズーム倍率を拡大した場合、倍率が中間の状態でかつ利得調整割込スイッチ１８がオフであるときには利得レベルがＧ４（Ｇ４は、一定値を示すものではなくズーム倍率に対応した数値）となり、ズーム倍率が最大の状態でかつ利得調整割込スイッチ１８がオフであるときには利得レベルがＧ５となる。
【００２８】
また、ズーム機能を使用している状態で利得調整割込スイッチ１８を使用した場合、いずれも利得レベルは自身側Ｇ１と同レベルのＧ２となる。
なお、利得レベルの設定はデフォルトで、Ｇ５＞Ｇ４＞Ｇ３＞Ｇ２＝Ｇ１である。
表１に示したのは、携帯電話機１において利得調整切換スイッチ１６をオンにした場合の撮像モードと音信号の利得レベルの関係である。
【００２９】
【表１】
2005295195.tif 000003
ただし、各状況に応じた利得レベルの設定は適宜設定変更ができるようになっている。
【００３０】
以上説明したように、この実施の形態によれば、赤外線リモートコントローラ３４を操作することによって、操作者を含む複数人の被写体が自ら動画撮影をはじめとする撮影操作を、離れた位置から行うことができる。
また、赤外線受光窓３２が回動可能とされているので、撮影終了後に、撮像部８４のレンズ８５と共に、携帯電話機１の筐体２の内面２ａ側を向かせて外方に露出させないようにすることで、操作窓３２の傷付きが抑制されて、赤外線ＩＲの制御信号の伝送の信頼性を確保することができる。
【００３１】
また、赤外線受光窓３２が撮像部８４を同じ方向を向くように配置されているので、レンズ８５の向く方向にいる被写体たる操作者が赤外線操作によって発する信号の良好な受信環境を得ることができる。
また、撮像部８４と赤外線受光窓３２を撮像装置８０のユニット内に内蔵させることによって、部品点数の削減や組立コストの削減が実現できる。
【００３２】
また、撮像部８４によって撮影を行った場合に景色等の遠方にある被写体を撮像する場合や、携帯電話機１の操作者を撮像する場合に、その撮像部８４の撮像方向に応じて適切な利得レベルの音信号を得ることができる。
その為、例えば撮像部を操作者自身に向けて撮像する場合には、音捕捉部が操作者の音声を捕捉し易いので、利得変更手段は利得レベルを、操作者に適した小さなレベルに調整し、一方、撮像部撮像方向を操作者以外に向けて撮像する場合には、被写体の音が捕捉し難いため、利得変更手段は音の利得レベルを被写体の方向に合わせて高く調整することができる。
【００３３】
また、撮像部８４が相手側の撮像方向Ｐ２の状態で、ズーム機能を使用して撮像した信号を拡大又は縮小した場合に、その音信号の利得レベルを画像の拡大又は縮小に合わせて調整することができるので、撮像した画像の大きさに適した大きさの音を得ることができ、臨場感を向上させることができる。
【００３４】
また、撮像部８４を相手側の撮像方向Ｐ２に向けて撮像している場合であっても、音信号の利得レベルを操作者の利得レベルに合わせて調整することができるので、相手側の撮像方向Ｐ２の景色や競技等の状況を撮像しながら、操作者の会話を記録又は伝送することができる。
また、撮像部を操作者以外の撮像方向に向けて撮像する場合や、ズーム機能の撮像倍率を変化させて被写体を撮像する場合に、利得変更機能の維持または、停止を切換えることができる。
【００３５】
利得変更機能を維持にしている場合、利得変更手段は音捕捉部が捕捉した音の利得レベルを撮像方向や撮像倍率に合わせて調整し、利得変更機能を停止した場合、撮像方向や撮像倍率に関わらず、利得レベルを操作者の音声に適した利得レベルにする。
また、撮像部８４を相手側の撮像方向Ｐ２に向けて撮像している状態で利得変更機能を維持して利得レベルを調整している場合であっても、利得調整割込スイッチ１８をオンにすることによって、一時的に操作者に合った利得レベルに変更することができるので、相手側の撮像方向Ｐ２で被写体を撮像しつつ、必要に応じて操作者の会話を適宜挿入して理解しやすい画像を得ることができる。
【００３６】
即ち、利得変更機能を維持にしている場合に割込み手段を使用すると、割込み手段を使用している間、利得変更機能を容易に中断することができる。したがって、臨場感をもって被写体を撮像している合間に、操作者が通常の会話を挿入することができる。
また、利得調整スイッチ２０により音信号増幅部７０の利得レベルをゼロにすると、録音ミュート状態となり他人に聞かれたくない音を録音しないことが可能である。
【００３７】
なお、上記実施の形態において、第２のポジションが、自身側の撮像方向Ｐ１と相手側の撮像方向Ｐ２の場合について説明したが、目的によりそれ以外の向きを向くポジションを選択してもよい。
また、本実施の形態では、赤外線リモートコントローラ３４を使用する場合について説明したが、動画撮影に使用する以外の携帯電話機、ＰＤＡ等を赤外線リモートコントローラ３４として使用してもよく、赤外線ＩＲ以外の光、例えばレーザーやフラッシュ光を用いてもよい。
【００３８】
また、第１の検出スイッチ１０と第２の検出スイッチ１２のいずれもがオフ状態の場合の利得レベルは、Ｇ１としてもよいし、第３の利得レベルを使用してもよい。
また、上記実施の形態におけるズーム機能は、撮像した画像を撮像信号処理部９０で処理する場合について説明したが、画像導入部８５Ａの伸縮する等により、光学的に画像を拡大縮小するものを使用してもよい。
以上、本実施形態では、折畳み式携帯電話機を例にとって説明したが、その構造については限定されるものではなく、様々な形態の携帯電話機に適用できることは勿論のこと、ＰＤＡやノートパソコン等の他の携帯端末装置にも用いることができることは言うまでもない。
【図面の簡単な説明】
【００３９】
【図１】（ａ）、（ｂ）は、この発明に係る携帯端末装置の一実施形態である携帯電話機を示す図であって、（ａ）は、一方の筐体２を他方の筐体４に対して開き撮像部８４を操作者自身に向けた状態、（ｂ）は、撮像部８４を操作者自身に向けた状態を示す斜視図である。
【図２】この発明に係る携帯端末装置の一実施形態である携帯電話機に備える撮像装置の概略構成図である。
【図３】この発明の一実施形態に係る携帯端末装置の利得レベルを調整する制御部のブロック図を示したものである。
【図４】この発明の一実施形態に係る携帯端末装置における音捕捉部が捕捉した音の利得レベルを調整する際のフローチャートである。
【符号の説明】
【００４０】
１      携帯電話機（携帯端末装置）
１４    ズーム倍率コントロールスイッチ
１６    利得調整切換スイッチ
１８    利得調整割込スイッチ
３０    赤外線受光部（光受光部）
３２    赤外線受光窓（光受光窓）
６０    マイクロフォン
７０    音信号増幅部（利得変更手段）
８０    撮像装置
８４    撮像部
８５    レンズ（撮像窓）
Ｐ１    自身側の撮像方向（第２のポジション）
Ｐ２    相手側の撮像方向（第２のポジション）
【図１】
2005295195.tif 000004
【図２】
2005295195.tif 000005
【図３】
2005295195.tif 000006
【図４】
2005295195.tif 000007